(57)【要約】【課題】  独創的なデザインで、しかも美観が向上して、施工主や訪問者が共に感動を味会うことのできる窓付きドアを提供すること。【解決手段】  ドア１の骨格を形成する枠体２に、内部にガラス４をはめ込む窓枠５を備え、この枠体２の表裏面には装飾板３を備え、この装飾板３にはガラス４の周縁を押さえることができるよう、窓枠５よりも一回り小さく形成してある採光部６を備えている窓付きドアにより、従来ガラスを固定するため使用された縁止めが不要になり、美観が向上する。【選択図】      図１  
2005188045.tif 000002
【特許請求の範囲】
【請求項１】
ドア（１）の骨格を形成する枠体（２）に、内部にガラス（４）をはめ込む窓枠（５）を備え、前記枠体（２）の表裏面には装飾板（３）を備え、該装飾板（３）には前記ガラス（４）の周縁を押さえることができるよう、前記窓枠（５）よりも一回り小さく形成してある採光部（６）を備えていることを特徴とする窓付きドア。
【請求項２】
前記ガラス（４）の周縁と前記装飾板（３）の一方または双方との間には、緩衝材（７）を介在してあることを特徴とする請求項１記載の窓付きドア。
【発明の詳細な説明】
【技術分野】
【０００１】
部屋の入り口や玄関に設置されるドアで、採光のためガラスがはめ込まれている窓付きドアに関する。
【背景技術】
【０００２】
部屋の入り口や玄関に設置されるドアには、採光や見通しを確保するためガラスが組み込まれている場合が多い。このガラスは、絶対にドア本体から外れることのないよう、図５に示すように周囲を縁止めなどと呼ばれる棒状の部材で固定されている。なお縁止めは、釘などでドア本体に固定されている。もしガラスが割れて入れ替えを行う場合は、最初に縁止めを外してから、古いガラスを撤去して新しいガラスをはめ合わせて、再び縁止めを取り付ける。
【発明の開示】
【発明が解決しようとする課題】
【０００３】
前記のようにドアにはめ込まれるガラスは、縁止めを使用して固定される場合が多く、当然ながら縁止めは、ドアの表面を構成する材料とは別に製作され、釘などで固定されており、外観上は窓の周囲に縁取りを施した状態になっている。一方で家屋を新築する場合、施工主としては、ドアなどの建材に対して、従来にはない独創的な外観を期待することがある。
【０００４】
多くの人の視線を集めるドアは、美観を向上するため様々なデザインが表面に施されている場合がある。また木材を素材とした場合、木目を強調することで高級感や安らぎといった好印象を与えることができる。このようなデザインに重点を置いたドアで、ガラスの固定に縁止めを使用すると、別素材で形成された縁止めによりデザインの統一感が乱れて、美観が悪化する恐れがある。
【０００５】
本発明はこうした実状を基に開発されたもので、独創的なデザインで、しかも美観が向上して、施工主や訪問者が共に感動を味会うことのできる窓付きドアの提供を目的としている。
【課題を解決するための手段】
【０００６】
前記の課題を解決する請求項１記載の発明は、ドアの骨格を形成する枠体に、内部にガラスをはめ込む窓枠を備え、前記枠体の表裏面には装飾板を備え、該装飾板には前記ガラスの周縁を押さえることができるよう、前記窓枠よりも一回り小さく形成してある採光部を備えていることを特徴とする窓付きドアであり、従来の縁止めが不要になる。
【０００７】
一般の家屋に使用されているドアの形態は多様で、引き戸や開き戸など構造上の違いのほか、素材も木材やアルミなど様々なものが使用されている。本発明は、これらの特定のものに限定される訳ではないが、木製のドアに用いることが最適である。木製のドアは、一枚の板だけで構成されている場合は少なく、通常は上框や下框や桟などと呼ばれる棒材を組み合わせて骨格となる格子状の枠体を形成して、この両面に人目に触れる装飾板が貼り合わされる。
【０００８】
本発明においても、上框や下框や桟を組み合わせて枠体を形成する点は従来と同様で、枠体にはガラスをはめ込むための窓枠が設置される。この窓枠は、棒材を周状に組み合わせて形成され、内部の開口部は無理なくガラスを収容できる大きさとする。ガラスが矩形の場合、窓枠もこれに合わせた矩形になるが、ガラスの外縁と窓枠の間は、作業性を考慮して微少な隙間を確保する。また枠体を両側から挟み込む装飾板には、ガラスの位置に合わせてくり抜かれた採光部をあらかじめ加工しておく。窓枠の中にガラスを収容してから、枠体の両面に装飾板を貼り合わせると、装飾板に加工された採光部は、窓枠より一回り小さく形成してあるため、ガラスは装飾板に挟まれて固定される。なおガラスをガタ付くことなく固定できるよう、ガラスと枠体の厚さを合わせて、装飾板とガラスとを確実に接触させる必要がある。
【０００９】
ガラスの両面を本発明のように装飾板で押さえる以外に、片面は従来と同様の縁止めを使用して、反対面だけを本発明のように装飾板で固定することも可能である。この方法は、ドアの一方の面があまり人目に触れない場合などに適用され、人目に触れにくい裏面だけに従来と同様な縁止めを使用することで、この部分は従来の部材を流用でき、しかもガラスが割れた際は縁止めだけを外して入れ替えが可能である。
【００１０】
これまで装飾板とガラスは、直接接触させることを前提に記載したが、請求項２記載の発明のように、ガラスの周縁と装飾板の一方または双方との間に緩衝材を介在させると、ガラスの厚さを枠体の厚さに合わせる必要がなく、しかもガラスを安定的に支持できる。緩衝材はガラスの周縁に形状を合わせた帯状で、ゴムや軟質樹脂など、ある程度の弾性を有するものが望ましい。ガラスを窓枠の中にはめ込む際、ガラスの周縁と接するように緩衝材を配置して、この後に装飾板を取り付けると、装飾板とガラスの間に緩衝材が挟み込まれ、より安定してガラスを固定できる。
【００１１】
なおドアを支えるヒンジや、ドアノブや、鍵といった各種の装備は、従来と同様に設置可能であり、何らの制約も受けない。また枠体と装飾板を一体化する方法は、接着や釘を打ち込むなど多様であるが、ガラスが落下することのないよう配慮した上で、美観を損なわないことも重要である。
【発明の効果】
【００１２】
請求項１記載の発明のように、枠体の内部にはめ込まれたガラスを、装飾板によって固定することで、これまで用いられた縁止めが不要になり、ドアの外観が今までにない斬新なものになり、施工主はもとより来客の目も存分に楽しませることができる。
【００１３】
請求項２記載の発明のように、ガラスと装飾板の間に緩衝材を介在させることで、ガラスの厚さを任意に変化させた場合も、緩衝材によりガラスを確実に固定可能で、また緩衝材に弾性を持たせると、ガラスのガタ付きも完全に防止できる。
【発明を実施するための最良の形態】
【００１４】
図１は、本発明によるドア１の構造例を示す斜視図である。ドア１は、棒材を所定の長さに切断した桟１０や上框１１や下框１２などを組み合わせて構成された格子状の枠体２と、この枠体２を挟み込むように取り付けられる装飾板３から構成される。枠体２の内部にはガラス４を収容するため矩形状に組まれた窓枠５が設けられ、この窓枠５はガラス４が無理なく通過できる大きさである。なお枠体２とガラス４の厚さは同一である。そのほか枠体２の内部には、図示は省略するが断熱材や鍵なども配置される。
【００１５】
枠体２を挟み込む装飾板３は、木目が浮き出て美観に優れた素材を組み合わせて構成された板状で、表裏面とも平面に加工済みである。この装飾板３には、ガラス４に光が届くよう切り欠かれた採光部６が設けられ、この採光部６は、ガラス４が通過できない大きさである。したがって窓枠５にガラス４を収容してから装飾板３を枠体２に一体化すると、ガラス４の外縁部が装飾板３に挟み込まれて不動状態になり、ガラス４を固定するため従来必要だった縁止めは不要である。また装飾板３にはドア１を開閉できるよう、持ち手９も装備されている。
【００１６】
図２は、図１の形態のドア１が組み上がった際の形状を示し、図２（イ）は正面から見たもので、図２（ロ）は図１のＡ−Ａ断面から見たものである。図２（イ）において点線で示している箇所がガラス４の外縁であり、装飾板３に設けられた採光部６は、この内側に位置している。そのためガラス４は枠体２の窓枠５から脱落することはない。また図２（ロ）の断面図のように、ガラス４は窓枠５と装飾板３により全方向に拘束されている。
【００１７】
図３は、本発明によるドア１の形態例を示す斜視図である。図１と異なる点は、ガラス４と装飾板３の間に緩衝材７を設けた点である。この緩衝材７は弾性を有する樹脂で形成され、矩形状に切り出されており、この中も矩形状に切り抜かれている。外形はガラス４の外縁と一致しているが、中が切り抜かれており採光部６を遮ることはない。ガラス４は、緩衝材７を介して装飾板３に挟まれるため、ガラス４の厚さを自由に選択でき、代わりに緩衝材７の厚さを調整する。なお図３では緩衝材７をガラス４の両面に配置しているが、片面だけに配置することも可能である。
【００１８】
図４は、ガラス４の片面だけを装飾板３で固定して、この反対面は従来と同様にガラス４を縁止め８で固定した形態を示す斜視図である。これまでの各図は、ガラス４の両面を装飾板３で固定していたが、この図のように一面は装飾板３を使用するものの、あまり人目に付かない面は装飾性を考慮していない表面板１３を使用して、この表面板１３に従来の縁止め８を使用している複合構造である。この構造はガラス４を交換する場合に、縁止め８を外すだけで作業が行える利点がある。
【図面の簡単な説明】
【００１９】
【図１】本発明によるドアの構造例を示す斜視図である。
【図２】図１の形態のドアが組み上がった際の形状を示し、（イ）は正面から見たもので、（ロ）は図１のＡ−Ａ断面から見たものである。
【図３】本発明によるドアの形態例を示す斜視図であり、装飾板とガラスの間に緩衝材を配置している。
【図４】ガラスの片面だけを装飾板で固定して、この反対面は従来と同様にガラスを縁止めで固定した形態を示す斜視図である。
【図５】従来から行われている、縁止めを使用してガラスを固定する方法を示す斜視図である。
【符号の説明】
【００２０】
１  ドア
２  枠体
３  装飾板
４  ガラス
５  窓枠
６  採光部
７  緩衝材
８  縁止め
９  持ち手
１０  桟
１１  上框
１２  下框
１３  表面板
【図１】
2005188045.tif 000003
【図２】
2005188045.tif 000004
【図３】
2005188045.tif 000005
【図４】
2005188045.tif 000006
【図５】
2005188045.tif 000007